(57)【要約】      （修正有）【課題】利便性の高いペン型の磁気筆記具を提供する。【解決手段】磁気筆記具１は、ペン型のハウジング１０を含み、ハウジング１０の内部空間１２には、バッテリー２０、制御回路２５、モータ３０、磁石４０が配置される。長手方向に延在する円柱状の磁石４０は、軸中心Ｃ上でモータ３０に回転可能に接続され、モータ３０は、制御回路２５からの駆動信号に応じて回転される。これにより、ハウジング１０の長手方向の領域Ｌで発生された磁界により磁気パネル上の文字等を広い面積で消去することができる。【選択図】図１
2019171576.tif 000002
【特許請求の範囲】
【請求項１】
磁気パネルに描画された文字、図形等を消去可能な磁気筆記具であって、
一方の端部と、当該一方の端部に対向する他方の端部とを有し、長手方向に延在する内部空間が形成されたハウジングと、
前記内部空間内に長手方向に沿うように配置され、回転軸を中心に回転可能である第１の磁石とを有し、
第１の磁石は、前記回転軸の径方向にＳ極とＮ極とが着磁され、少なくとも前記ハウジングの長手方向において磁気パネル上の文字等を消去可能である、磁気筆記具。
【請求項２】
第１の磁石は、前記ハウジングの一方の端部において磁気パネル上の文字等を消去可能である、請求項１に記載の磁気筆記具。
【請求項３】
前記磁気筆記具はさらに、内部空間内の前記一方の端部側に配置され、かつ前記回転軸を中心に回転可能な第２の磁石を含み、
第２の磁石は、前記回転軸の径方向にＳ極とＮ極が着磁され、
前記ハウジングの一方の端部において磁気パネル上の文字等を消去可能である、請求項１に記載の磁気筆記具。
【請求項４】
磁気筆記具はさらに、内部空間内の長手方向に延在する筆記用部材を含み、筆記用部材の先端には磁性体部材が取り付けられ、前記磁性体部材は、磁気パネル上に描画するとき、ハウジングの一方の端部から突出可能である、請求項１または２に記載の磁気筆記具。
【請求項５】
前記筆記用部材は、第１および第２の磁石の中央部分を通過可能である、請求項３に記載の磁気筆記具。
【請求項６】
前記筆記用部材がハウジングの一方の端部から突出したとき、第２の磁石と磁気パネルとの間の第１の距離は、第２の磁石の磁界により磁気パネル上の文字等が消去されない距離である、請求項３または４に記載の磁気筆記具。
【請求項７】
前記筆記用部材がハウジングの一方の端部から突出していないとき、第２の磁石と磁気パネルとの第２の距離は、第２の磁石の磁界により磁気パネル上の文字等が消去されない距離である、請求項３ないし５いずれか１つ記載の磁気筆記具。
【請求項８】
前記筆記用部材がハウジングの一方の端部から突出していないとき、第１の磁石と磁気パネルとの第３の距離は、第１の磁石の磁界により磁気パネル上の文字等が消去されない距離である、請求項３ないし６いずれか１つに記載の磁気筆記具。
【請求項９】
ハウジングを磁気パネルに略平行に近接させたとき、第１の磁石は、磁気パネルから第４の距離に配置され、第４の距離は、第１の磁石の磁界により磁気パネル上の文字等を消去することができる距離である、請求項１ないし７いずれか１つに記載の磁気筆記具。
【請求項１０】
前記磁気筆記具はさらに、第１の磁石を回転させるためのモータ、およびバッテリーをハウジング内に含む、請求項１ないし８いずれか１つに記載の磁気筆記具。
【請求項１１】
前記筆記用部材は、ハウジング内に複数収容され、複数の筆記用部材は、異なる線種を描画するための磁性体部材を先端に含み、選択された１つの筆記用部材がハウジングの一方の端部から突出可能である、請求項１ないし１０いずれか１つに記載の磁気筆記具。
【請求項１２】
表示用の磁気パネルに磁界を作用させ、任意の文字、図形、記号等を描画することができる磁気筆記具であって、
前記磁気筆記具の先端部に取り付けられ、磁性体材料から構成されるホルダーと、
前記ホルダー内に配置された少なくとも１つの磁石とを有し、
前記ホルダーは、開口が形成された底部と、当該底部に接続された側部とを有し、前記磁石は、前記底部および側部によって形成された空間内に収容され、
前記磁石の表面は、前記底部の開口によって露出される、磁気筆記具。
【請求項１３】
前記底部の開口の大きさは、磁石からの磁力線の半径方向の大きさを調整する、請求項１２に記載の磁気筆記具。
【請求項１４】
前記底部および開口は円形状であり、前記側部は円筒状である、請求項１３に記載の磁気筆記具。
【請求項１５】
前記磁石の先端部の表面は、前記底部の厚さの分だけ前記底部の表面から窪んだ位置にある、請求項１２ないし１４いずれか１つに記載の磁気筆記具。
【請求項１６】
前記磁石の先端部の表面は、前記側部から折り曲げられた底部の厚さ分だけ窪んだ位置にある、請求項１２ないし１４いずれか１つに記載の磁気筆記具。
【請求項１７】
前記底部の開口から露出する磁石の表面は、磁気を透過可能な材料から構成された保護部材によって保護されている、請求項１２ないし１５いずれか１つに記載の磁気筆記具。
【請求項１８】
磁気筆記具は、把持用のグリップ部と、
前記グリップ部の一方の端部に設けられた回転機構とを有し、
前記ホルダーは、前記回転機構を介してグリップ部に接続される、請求項１２ないし１７いずれか１つに記載の磁気筆記具。
【請求項１９】
前記ホルダーは、グリップ部の長手方向の軸中心に対して直交する方向において回転可能である、請求項１８に記載の磁気筆記具。
【請求項２０】
請求項１ないし１９いずれか１つに記載の磁気筆記具と、
磁気パネルと、
を有する磁気筆記システム。
【請求項２１】
表示用の磁気パネルに磁界を作用させ、任意の文字、図形、記号等を描画することができる磁気筆記具の先端部に取り付けられる磁性体ホルダーの製造方法であって、
磁性体材料からなる部材を加工し、底部と、当該底部に接続された側部とを含むホルダーを形成し、
前記底部に貫通する開口を形成し、
前記ホルダーの開放端から、前記底部と前記側部によって包囲された空間内に磁石を挿入し、当該磁石の先端面を前記底部に当接させる、製造方法。
【発明の詳細な説明】
【技術分野】
【０００１】
本発明は、磁性を帯びた表示体を含む磁気パネル上に文字、図形、記号等を描画したり、描画した文字等を消去することができる磁気筆記具に関する。
【背景技術】
【０００２】
磁性を帯びた表示体を含む磁気パネルに対して先端部に磁石を取り付けた磁気ペンを描画させ、磁気ペンからの磁界を表示体に作用することで磁気パネル上に所望の文字、図形、記号等を描画することができる。例えば、特許文献１は、磁気パネルにかかる筆圧を緩和する磁気ペンを開示している。また、特許文献２ないし４は、磁性粒子をマイクロカプセルに封入して記録層を作成する磁気パネルを開示している。さらに、特許文献５は、磁界を変化させることで磁気パネルに描画された文字等を消去する磁気消去具を開示している。
【先行技術文献】
【特許文献】
【０００３】
【特許文献１】特開２００９−９３５号公報
【特許文献２】特開２００７−２５６８９１号公報
【特許文献３】特許第２７１７５３６号公報
【特許文献４】特許第４０８９８０８号公報
【特許文献５】特許第６２１３８８６号公報
【発明の概要】
【発明が解決しようとする課題】
【０００４】
しかしながら、従来のペン型の磁気消去具は、ペン先を利用して狭い面積を消去するには適しているが、比較的大きな面積を消去する場合には、磁気消去具を磁気パネル上で何度も移動させなければならない。また、磁気パネルへの描画を行うとき、ユーザーは、描画する線種に応じて磁気ペンを持ち替える必要があり、描画した文字等を訂正する場合には、磁気ペンから磁気消去具に持ち替えなければならず、利便性に欠けるという課題がある。
【０００５】
本発明は、このような従来の課題を解決するものであり、消去機能を改善し、利便性の高い磁気筆記具を提供することを目的とする。
【課題を解決するための手段】
【０００６】
本発明に係る磁気筆記具は、磁気パネルに描画された文字、図形等を消去可能なものであって、一方の端部と、当該一方の端部に対向する他方の端部とを有し、長手方向に延在する内部空間が形成されたハウジングと、前記内部空間内に長手方向に沿うように配置され、回転軸を中心に回転可能である第１の磁石とを有し、第１の磁石は、前記回転軸の径方向にＳ極とＮ極とが着磁され、少なくとも前記ハウジングの長手方向において磁気パネル上の文字等を消去可能である。
【０００７】
ある実施態様では、第１の磁石は、前記ハウジングの一方の端部において磁気パネル上の文字等を消去可能である。ある実施態様では、前記磁気筆記具はさらに、内部空間内の前記一方の端部側に配置され、かつ前記回転軸を中心に回転可能な第２の磁石を含み、第２の磁石は、前記回転軸の径方向にＳ極とＮ極が着磁され、前記ハウジングの一方の端部において磁気パネル上の文字等を消去可能である。ある実施態様では、磁気筆記具はさらに、内部空間内の長手方向に延在する筆記用部材を含み、筆記用部材の先端には磁性体部材が取り付けられ、前記磁性体部材は、磁気パネル上に描画するとき、ハウジングの一方の端部から突出可能である。ある実施態様では、前記筆記用部材は、第１および第２の磁石の中央部分を通過可能である。ある実施態様では、前記筆記用部材がハウジングの一方の端部から突出したとき、第２の磁石と磁気パネルとの間の第１の距離は、第２の磁石の磁界により磁気パネル上の文字等が消去されない距離である。ある実施態様では、前記筆記用部材がハウジングの一方の端部から突出していないとき、第２の磁石と磁気パネルとの第２の距離は、第２の磁石の磁界により磁気パネル上の文字等が消去されない距離である。ある実施態様では、前記筆記用部材がハウジングの一方の端部から突出していないとき、第１の磁石と磁気パネルとの第３の距離は、第１の磁石の磁界により磁気パネル上の文字等が消去されない距離である。ある実施態様では、ハウジングを磁気パネルに略平行に近接させたとき、第１の磁石は、磁気パネルから第４の距離に配置され、第４の距離は、第１の磁石の磁界により磁気パネル上の文字等を消去することができる距離である。ある実施態様では、前記磁気筆記具はさらに、第１の磁石を回転させるためのモータ、およびバッテリーをハウジング内に含む。ある実施態様では、前記筆記用部材は、ハウジング内に複数収容され、複数の筆記用部材は、異なる線種を描画するための磁性体部材を先端に含み、選択された１つの筆記用部材がハウジングの一方の端部から突出可能である。また、本発明に係る磁気筆記システムは、上記構成の磁気筆記具と、磁気パネルとを有する。
【発明の効果】
【０００８】
本発明によれば、ハウジングの内部空間内に長手方向に第１の磁石を回転可能に収容したことにより、ハウジングの長手方向に沿った比較的大きな面積で磁気パネル上の文字等を一括して消去することができる。
【図面の簡単な説明】
【０００９】
【図１】図１（Ａ）は、本発明の第１の実施例に係る磁気筆記具の斜視図、図１（Ｂ）は、そのＡ−Ａ線断面図である。
【図２】図２は、本実施例による磁石の他の取り付け例を説明する図である。
【図３】磁気パネルに描画された文字等を消去する一例を示す図である。
【図４】本発明の第２の実施例に係る磁気筆記具の断面図である。
【図５】本発明の第３の実施例に係る磁気筆記具の斜視図を示す図である。
【図６】図５のＡ１−Ａ１線断面図である。
【図７】本発明の第３の実施例による筆記用部材が押し出された状態を示す図である。
【図８】本発明の第３の実施例による磁気筆記具で描画を行うときの例を示す図である。
【図９】本発明の第３の実施例に係る磁性体ホルダーの詳細を説明する図である。
【図９Ａ】本発明の第３の実施例に係る磁性体ホルダーの変形例を示す図である。
【図１０】第３の実施例に係る磁気筆記具の使用例を示す図である。
【図１１】第３の実施例に係る磁気筆記具の使用例を示す図である。
【図１２】第３の実施例に係る磁気筆記具の使用例を示す図である。
【図１３】本発明の第４の実施例に係る磁気筆記具の構成を示す断面図である。
【図１４】第４の実施例に係る磁気筆記具の使用例を示す図である。
【図１５】本発明の第５の実施例に係る磁気筆記具の使用例を示す図である。
【図１６】第６の実施例に係る磁気筆記具の構成を示す図である。
【図１７】第７の実施例に係る磁気筆記具の構成を示す図である。
【図１８】第７の実施例に係る磁気筆記具の先端部拡大図である。
【図１９】第７の実施例に係る磁気筆記具の変形例を示す図である。
【発明を実施するための形態】
【００１０】
次に、本発明の実施の形態について図面を参照して詳細に説明する。本発明の磁気筆記具は、ペン型のハウジング内に回転可能に取り付けられた磁石を有し、磁気パネルまたは磁気シート上に描画された文字、図形、絵等を消去する機能を有する。さらに本発明の磁気筆記具は、磁気パネル上に文字、図形、絵等を描画する機能を備える。なお、図面に記載された各部の構成は、説明を容易にするために例示されたものであり、実際の製品とは大きさ等が異なる点に留意すべきである。
【実施例】
【００１１】
図１（Ａ）は、本発明の第１の実施例に係る磁気筆記具の全体を表す斜視図を示す図、図１（Ｂ）は、そのＡ−Ａ線断面図である。本実施例に係る磁気筆記具１は、ペン型の細長い形状のハウジング１０を有する。ハウジング１０は、ユーザーによって把持される部分を提供し、例えば、円筒形状を有する。但し、ハウジングの外形は、三角形状、その他の多角形状であってもよい。また、ハウジング１０は、ユーザーが持ち易くなるように、一部の凹部や凸部などを含むものであってもよい。
【００１２】
ハウジング１０は、磁界を透過可能な材料、例えば、プラスチックなどから構成される。ハウジング１０は、一方の端部１０Ａと、他方の端部１０Ｂとを有し、一方の端部１０Ａから他方の端部１０Ｂに向けて長手方向に延在する。ハウジング１０の内部には、図１（Ｂ）に示すように、長手方向に沿って内部空間１２が形成され、内部空間１２には、バッテリー２０、制御回路２５、モータ３０、磁石４０が収容される。
【００１３】
ある実施態様では、磁石４０は円柱状でありし、Ｎ極とＳ極とがその径方向に着磁される。磁石４０は、軸方向に長さＬを有し、その一方の端部が、ハウジング１０の一方の端１０Ａに近接され、他方の端部が、モータ３０の回転軸３２に直接またはギアを介して接続される。モータ３０の回転軸３２は、ハウジング１０の長手方向の軸中心Ｃと一致してもよいし、あるいは軸中心Ｃと略平行である。磁石４０もまた、ハウジング１０の長手方向の軸中心Ｃと一致してもよいし、あるいは軸中心Ｃからオフセットされていてもよい。
【００１４】
制御回路２５は、モータ３０の動作を制御するための回路素子を含む。ある実施態様では、制御回路２５は、ハウジング１０に設けられた入力スイッチ（図示省略）に応答してモータ３０の起動、停止を行うことができる。また、ある実施態様では、制御回路２５は、マイクロコントローラを含み、マイクロコントローラは、ユーザー入力に応答して、自身のＲＯＭ等に格納されたプログラムによりモータ３０の起動、停止、回転速度、回転時間を制御することができる。
【００１５】
バッテリー２０は、制御回路２５およびモータ３０を動作させるための電力を供給する。ハウジング１０の他方の端部１０Ｂには、バッテリー２０の挿入、または交換をするための開閉蓋２２が形成される。開閉蓋２２は、例えば、ネジやフック等によりハウジング１０に開閉可能に取り付けられる。
【００１６】
次に、磁石４０の他の取り付け例について説明する。図１に示す態様では、磁石４０は、モータ３０の回転軸３２に接続されるが、これ以外にも、図２（Ａ）に示すように、磁石４０をリンク状（環状）に構成し、磁石４０の中心に筒状の支持部材４１が挿入され、支持部材４１がモータ３０によって回転される。支持部材４１は、例えば、金属等の磁性体材料、あるいはプラスチック等の非磁性体材料から構成される。磁石４０と支持部材４１とは、嵌合により固定されてもよいし、あるいは接着剤により磁石４０と支持部材４１とを固定してもよい。磁石４０および支持部材４１を中空にすることにより重量を減らし、モータ３０の駆動負荷を軽減させることができる。
【００１７】
また、図２（Ｂ）に示すように、円筒状の支持部材４１の対向する側に一対の磁石４０Ａ、４０Ｂを取り付けるようにしてもよい。磁石４０Ａ、４０Ｂは、例えば矩形状を有し、Ｓ極およびＮ極が厚さ方向に着磁されている。磁石４０Ａ、４０Ｂは、例えば、接着剤により支持部材４１の外周に固定される。
【００１８】
次に、磁気筆記具１による消去例を図３に示す。同図に示すように、磁気パネル１００は、磁界を透過可能な透明なシートであって、かつ磁気パネルの表示面を構成する表面シート１１０、表面シート１１０と対向する裏面シート１２０、表面シート１１０と裏面シート１２０との間の空間内に２次元的または３次元的に配置された複数のマイクロカプセル１３０を含んで構成される。
【００１９】
磁気パネル１００は、表面シート１１０側から磁界を作用させて描画した文字等を消去することができるタイプ、あるいは裏面シート１２０側から磁界を作用させて描画した文字等を消去することができるタイプのいずれであってもよい。
【００２０】
ユーザーは、ハウジング１０の軸中心Ｃが磁気パネル１００の表面と略平行になるように、かつハウジング１０からの磁界が作用して文字等を消去できるような表面シート１１０との距離になるように、磁気筆記具１を把持し、次いで、磁石４０を回転させる。磁石４０の回転により磁界が変化し、変化した磁界が磁気パネル１００に作用し、消去が可能になる。このとき、磁石４０は、ハウジング１０の長手方向に距離Ｌで延在するため、消去可能な範囲は距離Ｌで規定される。次いで、ユーザーは、磁気筆記具１を水平方向に移動させることで、磁気パネル上の所望のエリアを消去することができる。
【００２１】
図１（Ｃ）は、第１の実施例の変形例である。同図に示すように、軸中心Ｃの長手方向の延在する磁石４０の端部を、ハウジング１０の一方の端部１０Ａが近接される。この場合、磁石４０の径を、図１（Ｂ）のときよりも小さくすることで、磁石４０の端部をハウジング１０の一方の端部１０Ａにより近接させることができる。その結果、磁石４０の端部からの磁力線４０Ａがハウジング１０の一方の端部１０Ａから発生し、ハウジング１０の端部１０Ａを利用した小範囲の消去を行うことが可能になる。この場合、図３に示すように、ハウジング１０の一方の端部を磁気パネル１００に当接させ、磁気筆記具を水平方向に移動させることで、比較的小範囲の消去を行うことができる。
【００２２】
次に、本発明の第２の実施例に係る磁気筆記具について説明する。図４（Ａ）は、第２の実施例に係る磁気筆記具の断面図（第１の実施例のときと同じ断面）である。本実施例に係る磁気筆記具１は、磁石４０に加え、磁石４２を備えている。磁石４２は円柱状であり、Ｎ極とＳ極とがその径方向に着磁される。磁石４２は、磁石４０よりも径が小さく、磁石４０と同軸上に配置され、磁石４０と同時に回転される。
【００２３】
磁石４２の一方の端面が磁石４０の端面に接触され、他方の端面がハウジング１０の一方の端部１０Ａに近接するように配置される。但し、磁石４２は、磁石４０に必ずしも接触する必要はなく、回転軸等を介して磁石４０から離間されて配置されてもよい。
【００２４】
磁石４２のＮ極からＳ極に向かう磁力線４２Ａは、ハウジング１０の一方の端部１０Ａから扇状に突出する。モータ３０により磁石４０、４２が回転されたとき、磁石４２の磁力線４２Ａ、つまり磁界が変化する。
【００２５】
ユーザーは、例えば、図４（Ｂ）に示すように、ハウジング１０の一方の端部１０Ａを磁気パネル１００上に接触させることで、磁石４２の磁力線４２Ａが磁気パネル１００に作用し、ハウジング１０の先端部の小さな範囲内で文字等を消去することができる。このとき、磁石４０からの磁界は、磁気パネル１００からの距離が一定以上であるため、磁気パネル１００には事実用影響を及ぼさない。
【００２６】
次に、本発明の第３の実施例に係る磁気筆記具について説明する。図５は、第３の実施例に係る磁気筆記具の斜視図、図６は、そのＡ１−Ａ１線断面図である。第３の実施例に係る磁気筆記具１Ａはさらに、ハウジング１０の外側から操作可能なツマミ５０と、磁石４０の速度調整用のギア６０、７０と、筆記用部材８０を含む。
【００２７】
ハウジング１０の一方の端部１０Ａには、内部空間１２に連結され、かつハウジング１０の軸中心Ｃの方向に円形状の開口１４が形成されている。開口１４には、例えば、図２（Ａ）、（Ｂ）に示すような円筒状の支持部材４１の一方の端部が挿入され、支持部材４１の他方の端部は、図示しない軸受部によって回転可能に支持されている。支持部材４１の内部には、細長い軸方向に延在する円柱状の筆記用部材８０が挿入される。筆記用部材８０は、公知の押出しロック機構により、ハウジング１０の開口１４から突出したり、あるいは開口１４内に収容される。磁気パネル上に文字等を描画するとき、筆記用部材８０は、押出しロック機構により、図７に示すように開口１４から一定の長さで突出する。ツマミ５０は、押出しロック機構の一部であり、押出し部を操作することにより筆記用部材８０が開口１４から突出した状態にあるとき、ツマミ５０を操作することで筆記用部材８０を開口１４内に収容させることができる。
【００２８】
筆記用部材８０は、任意の材料で構成することができるが、その先端には、筆記用の磁性体ホルダー８２が取り付けられる。磁性体ホルダー８２の詳細は、後述する。
【００２９】
モータ３０の回転軸には、ギア６０が接続され、ギア６０は、磁石４０の端部に接続されたギヤ７０に噛合する。ギア６０、７０のギア比を適宜選択することで、磁石４０、４２の回転速度を調整することができる。ある実施態様では、モータ３０の回転軸の回転速度が低速になるようなギア比が選択される。また、モータ３０と磁石４０の回転軸との間にギアを介在させることでモータ３０のレイアウトの自由度を高めることができる。
【００３０】
図８は、筆記状態を示す図である。ハウジング１０の一方の端部１０Ａから筆記用部材８０が突出され、筆記用部材８０が磁気パネル１００上に接触または近接される。このとき、筆記用部材８０の先端の磁性体ホルダー８２からの磁界が磁気パネル１００に作用し、筆記用部材８０の移動軌跡に応じた文字や図形等が描画される。
【００３１】
次に、筆記用磁性体ホルダー８２の詳細について図９ないし図９Ｃを参照して説明する。図９（Ａ）は、磁性体ホルダーの概略断面図、図９（Ｂ）は、磁性体ホルダーを底面側から見た図である。磁性体ホルダー８２は、概ね円筒状のホルダー本体８４と、ホルダー本体８４内に収容される磁石８６とを有する。ホルダー本体８４は、鉄等の磁性体材料から構成され、円形状の底面８４Ａと、円形状の底面８４Ａに接続された円形状の側面８４Ｂとを有する。底面８４Ａおよび側面８４Ｂは、円柱状の内部空間を形成し、この内部空間内に磁石８６を保持する。磁石８６の形状は、例えば、内部空間の形状に倣うような円柱状であり、その軸方向にＳ極とＮ極とが着磁されている。ホルダー８４の底面８４Ａには、開口８４Ｃが形成され、磁石８６の一部を露出させる。開口８４Ｃは、例えば、筆記用部材８０の軸中心と同心の円形状である。
【００３２】
次に、磁性体ホルダーの製造方法の一例を示す。前駆体として厚さＴの金属部材９０が用意され、金属部材９０は、図９（Ｃ）に示すように、塑性加工（曲げ加工、押出し成形、絞り加工、切削加工など）によりカップ形状に加工される。加工された金属部材９０の底部９２および側部９４は、概ね厚さＴである。但し、切削加工を行った場合には、底部９２の厚さを、側部９４の厚さと異ならせることが可能である。次に、図９（Ｄ）に示すように、直径Ｗの大きさで底部９２打ち抜き加工またはドリル加工し、底部９２に円形状の開口９４を形成する。次に、図９（Ｅ）に示すように、金属部材９０の上方の開放端から、底部９２と側部９４とによって形成された内部空間内に円柱状の磁石８６が挿入される。こうして、図９（Ａ）に示すような磁性体ホルダー８２が得られる。
【００３３】
磁気パネル上に文字等を描画するとき、筆記用部材８０は、図７、図８に示すように、ハウジング１０の一方の端部１０Ａから突出される。このとき、ホルダー本体８４の底面８４Ａに形成された開口８４Ｃの大きさによって、磁石８６が磁気パネルに作用する磁力線または磁界が調整される。つまり、ホルダー本体８４は、磁性材材料から構成されるため、底面８４Ａが磁気シールドとして作用し、開口８４ＣのサイズＷが大きくなれば、それだけ、磁石８６の磁力線は、半径方向に広がることができ、他方、開口８４ＣのサイズＷが小さくなれば、それだけ、磁石８６の磁力線は、半径方向に広がることができなくなる。開口８４ＣのサイズＷを適切にすることで、磁気パネル上に描画される文字や図形等の線幅、線種を調整することができる。
【００３４】
さらに、磁石を微細化することは非常に困難であるが、本実施例によれば、ホルダー本体８４の開口８４ＣのサイズＷを小さくすることで、事実上、微細化された磁石を得ることができるという利点がある。
【００３５】
また、磁石８６の表面は、底面８４Ａの表面から厚さＴだけオフセットされる。磁石８６の表面を底面８４Ａの表面からオフセットさせることで、磁石８６の磁力線が必要以上に半径方向に広がるのが抑制され、これにより、描画された文字や図形の輪郭のエッジが不鮮明なるのが防止される。本実施例では、磁石８６のオフセット量の調整、または磁石８６の位置決め作用は、実質的に不要である。上記したように、前駆体の底部９２と側部９４とによって形成された内部空間内に磁石８６を挿入すれば、底部９２の厚さＴによって磁石８６のオフセット量を保証することができる。
【００３６】
図９（Ｆ）は、磁気ホルダーの変形例である。上記の例では、磁石８６の表面が底面８４Ａの開口８４Ｃによって露出されるが、磁石８６の表面を保護する場合には、開口８４Ｃが、磁界を透過可能な材料によって構成された保護部材８８によって充填される。磁石８６の表面が露出された状態であると、例えば、空気中の磁性を帯びた粉塵、塵、ほこり等が磁石８６の表面または開口８４Ｃ内に付着し、これにより、開口８４ＣのサイズＷから生じる磁力線または磁界が弱まってしまい、結果として、鮮明が文字等を描画することができなくなる可能性がある。また、そのような磁性を帯びた粉塵等を磁石８６の表面から取り除くのは非常に手間がかかる。描画時、磁性体ホルダー８２は磁気パネル上を摺動されるため、保護部材８８は、底面８４Ａと同一平面からそれよりも幾分窪むことが望ましく、これにより、磁気パネルの上面シート１１０が損傷するのが防止され、また、磁気筆記具１を滑らかに摺動させることができる。なお、ホルダー本体８４は、塑性加工する以外にも、金型成形や切削加工により形成されるものであってもよい。
【００３７】
次に、磁性体ホルダーの用いる磁石の変形例を図９Ａに示す。同図（Ａ）、（Ｂ）に示す磁性体ホルダーは、Ｎ極とＳ極とが径方向に着磁する磁石８６Ａを用いた例である。
同図（Ｃ）、（Ｄ）は、円柱状の２つの磁石８６Ｃ−１、８６Ｃ−２をホルダー本体８４内に収容する例を示し、同図（Ｅ）、（Ｆ）は、円柱状の４つの磁石８６Ｄ−１、８６Ｄ−２、８６Ｄ−３、８６Ｄ−４をホルダー本体８４内に収容する例を示している。なお、磁石の形状、数、配置は、上記に限定されるものではなく、これ以外の形状、数、配置であってもよい。
【００３８】
第３の実施例によれば、磁気筆記具１Ａは、磁石４０および４０による消去機能に加えて、筆記用部材８０による描画機能を備えている。図１０ないし図１２に、第３の実施例による磁気筆記具１Ａの使用例について説明する。
【００３９】
磁気パネル１００上への描画を行うとき、筆記用部材８０の先端の磁性体ホルダー８２がハウジング１０の一方の端部から突出される。このとき、磁石４２は、磁気パネル１００に磁気作用を及ぼすことがない高さｈ３に維持される。言い換えれば、磁性体ホルダー８２が突出する距離は、磁石４２の高さｈ３を維持することができるように設計される。
【００４０】
図１１は、ハウジング１０のペン先を利用して磁石４２による消去を行う場合を示している。このとき、磁性体ホルダー８２は、開口１４よりも内部に収容された状態にあり、例えば、磁性体ホルダー８２の表面は、ハウジング１０の一方の端部１０Ａの表面からΔｋだけオフセットする。オフセット量Δｋにより、磁性体ホルダー８２からの磁力線または磁界が十分に表示パネル１００に作用されなくなる。一方、磁石４２から磁気パネル１００までの高さｈ１は、磁石４２の磁界または磁力線が磁気パネル１００に十分に作用することができる距離である。この状態で磁石４２を回転させると、ハウジング１００のペン先の一定範囲内で文字等を消去することができる。また、磁石４０から磁気パネル１００からまでの高さｈ２は、磁石４０の磁力線が磁気パネル１００に十分作用することができない距離である。
【００４１】
図１２は、ハウジング１０の長手方向の領域を利用して磁石４０による消去を行う場合を示している。ハウジング１０の軸中心Ｃが磁気パネル１００の表面に略平行にかつ高さｈ４に維持される。高さｈ４は、磁石４０の磁界または磁力線が磁気パネル１００に十分に作用することができる距離である。この状態で磁石４０を回転させると、磁石４０の長手方向の距離Ｌの範囲で文字等を消去することができる。
【００４２】
なお、上記の使用例では、磁石４０、４２を回転させる場合を説明したが、磁石４０、４２を回転させなくても文字等を消去することができることに留意すべきである。勿論、磁石４０、４２を回転させた方が磁界が変化することで、万遍なく均一に消去を簡単に行うことができるが、ユーザーが磁気筆記具を適宜移動させれば、それと同等の消去を行うことも可能である。
【００４３】
次に、本発明の第４の実施例に係る磁気筆記具の断面図を図１３に示す。上記実施例と同一構成には、同一参照番号を付してある。第４の実施例に係る磁気筆記具１Ｂは、筆記用部材８０の先端の磁性体ホルダー８２の向きが変化できる可変機構を含む。同図に示すように筆記用部材８０と磁性体ホルダー８２の間には、自在継手９８が介在される。自在継手９８の構成は任意であるが、例えば、バネやゴム等の弾性部材を利用したジョイントなどを用いることができる。
【００４４】
さらに、磁性体ホルダー８２は、磁気パネル１００に接触したときに、磁性体ホルダー８２が磁気パネル１００の面に倣うようにするための台座９９を含む。台座９９は、例えば、磁界を透過可能なプラスチック部材から構成され、磁性体ホルダー８２の全体を収容し、その底面は、磁性体ホルダー８２の底面の面積よりも大きい平坦な面である。また、ある実施態様では、台座９９が開口１４の径よりも大きい場合には、台座９９をハウジング内に収容することができない。このため、台座９９を保護するためのキャップ１６をハウジング１００の先端に設けるようにしてもよい。
【００４５】
図１４は、第４の実施例に係る磁気筆記具の使用例を示す図である。上記した実施例と同様に、図示しない押出しロック機構により筆記用部材８０がハウジング１０の開口１４から突出され、磁気パネル１００への文字等の描画が可能になる。
【００４６】
本実施例によれば、磁気パネル１００に描画するとき、ユーザーが磁気パネル１００に対して磁気筆記具を傾斜させたとしても、自在継手９８により台座８５が磁気パネル１００に対して倣うことができ、つまり、磁性体ホルダー８２からの磁力線が磁気パネル１００に対してほぼ垂直方向から作用させることができる。これにより、ユーザーは、描画をし易くなると同時に、文字、図形等をより鮮明に描画することができる。
【００４７】
次に、本発明の第５の実施例に磁気筆記具の断面図を図１５に示す。第５の実施例は、ハウジング１００の支持部材４１内に、複数の筆記用部材８０−１、８０−２を収容する。筆記用部材８０−１、８０−２の先端には、それぞれ磁性体ホルダー８２−１、８２−２が取り付けられる。磁性体ホルダー８２−１、８２−２は、それぞれ線幅の異なる文字等を描画することができるようにするため、例えば、ホルダー本体８４の底面８４Ａの開口８４ＣのサイズＷを異ならせたり、ホルダー本体８４内に収容される磁石の形状、大きさ、数を異ならせている。押出しロック機構は、複数の筆記用部材のいずれかをユーザー操作によって選択的にハウジングの先端から押し出すことができる。これにより、ユーザーは、所望の線幅にて文字等を容易に描画することができる。
【００４８】
次に、本発明の第６の実施例に係る磁気筆記具の構成を図１６に示す。第６の実施例は、ハウジング１００の外部に、磁石４０と磁気パネル１００との高さｈ８を生成するためのスペーサ２００を設けたものである。スペーサ２００は、磁力を透過可能な材料、例えばプラスチック等から構成される。高さｈ８を適宜選択することで、磁石４０の位置を最適化し、消去を容易にすることができる。同時に、スペーサ２００が設けられていない側では、図１２に示すように磁石４０と磁気パネル１００との間に高さｈ４が形成される。
【００４９】
次に、本発明の第７の実施例について説明する。図１７は、第７の実施例に係る磁気筆記具の断面図を示す図である。第７の実施例に係る磁気筆記具６００は、長手方向に延在する内具空間が形成された把持用のハウジング（グリップ部）６０２、ハウジング６０２に含まれる電池６０４、制御回路６０６、モータ６０８、磁石６１０を有する。制御回路６０６は、電池６０４から電力が供給され、ハウジング６０２の側壁に取り付けられたスイッチ６１２が押下されることにより、モータ６０８を駆動させる。磁石６１０は、ハウジング６０２内の長手方向に一定の長さで延在する円柱状を有しており、Ｎ極およびＳ極が径方向に着磁されている。モータ６０８の駆動により磁石６１０が回転すると、磁石６１０の長手方向の範囲、および磁石６１０の一方の端部６２２において磁界が変化し、ハウジング６０２の長手方向において、あるいは端部６２２において、磁気パネル上に描画された文字等を消去することができる。また、磁気筆記具６００の軸方向に可動する、磁性体材料からなる円筒状のスライド部材６２４を設け、スライド部材６２４をスライドさせることで、磁石６１０の磁界を変化させ、消去範囲を変化させることができる。
【００５０】
磁気筆記具６００は、ハウジング６０２の一端に先端部６１４を有し、先端部６１４の一端には、回転機構６１６が取り付けられている。また、回転機構６１６には、描画部６１８が取り付けられており、描画部６１８は、磁石を有するペン先６２０を含んでいる。回転機構６１６は、その中心Ｃを軸として時計回りや反時計回りに回転可能であり、その駆動範囲は、制限なく回転可能なものであっても良いし、０度〜任意の角度まで回転可能なものであっても良い。図１８は、第７の実施例に係る磁気筆記具の描画部の拡大図である。磁気筆記具６００を磁気パネル１００に押し付けると、磁気ペンを握る使用者の手の角度θ、押し付けた角度などによって、回転機構６１６は、描画部６１８と先端部６１４との間の成す角度θ１、θ２を柔軟に変化させ、ペン先６２０を磁気パネル１００の表面に対して傾斜させたり（図１８（Ａ））、ペン先６２０を磁気パネル１００の表面に対して垂直にすることができる（図１８（Ｂ））。
【００５１】
図１９は、第７の実施例に係るペン先の変形例を示す図である。同図に示す描画部６１８は、太字を描画するためのペン先６２０Ａと、細字を描画するためのペン先６２０Ｂとを含む。描画部６１８は、回転機構６１６の中心Ｃを軸として回転可能であり、先端部６１４内にペン先６２０Ａまたは６２０Ｂを収納可能である。図１９（Ａ）は、ペン先６２０Ｂが先端部６１４に収納されている様子を示しており、手動または自動により、回転機構６１６を回転させることにより、ペン先６２０Ｂを出現させることができる（図１９（Ｂ））。図示しないが、ペン先６２０Ｂが図１９（Ａ）で示すような直線状態になった場合、ペン先６２０Ａは、先端部６１４内に収納される。先端部６１４とハウジング６０２は、ネジ機構６２６によって着脱可能であり、図１７に示すような描画部や、図１８に示すような描画部を取り換えることができる。
【００５２】
上記第１ないし第７の実施例をそれぞれ説明したが、本発明は、第１ないし第７の実施例の組合せを包含するものである。
【００５３】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００５４】
１、１Ａ、１Ｂ：磁気筆記具                  １０：ハウジング
１０Ａ：一方の端部                        １０Ｂ：他方の端部
１２：内部空間                            １４：開口
１６：保護キャップ                        ２０：バッテリー
２５：制御回路                            ３０：モータ
４０、４２：磁石                          ４１：支持部材
８０：筆記用部材                          ８２：磁性体ホルダー
８４：ホルダー本体                      ８４Ａ：底面
８４Ｂ：側面                            ８４Ｃ：開口
８６：磁石                                ９８：自在継手
９９：台座                              １００：磁気パネル
１１０：表面シート                        １２０：裏面シート
１３０：マイクロカプセル
【図１】
2019171576.tif 000003
【図２】
2019171576.tif 000004
【図３】
2019171576.tif 000005
【図４】
2019171576.tif 000006
【図５】
2019171576.tif 000007
【図６】
2019171576.tif 000008
【図７】
2019171576.tif 000009
【図８】
2019171576.tif 000010
【図９】
2019171576.tif 000011
【図９Ａ】
2019171576.tif 000012
【図１０】
2019171576.tif 000013
【図１１】
2019171576.tif 000014
【図１２】
2019171576.tif 000015
【図１３】
2019171576.tif 000016
【図１４】
2019171576.tif 000017
【図１５】
2019171576.tif 000018
【図１６】
2019171576.tif 000019
【図１７】
2019171576.tif 000020
【図１８】
2019171576.tif 000021
【図１９】
2019171576.tif 000022